(57)【要約】【課題】携帯電子機器の電源が切れている場合であっても時計表示が可能であり、電源が入っている場合には携帯電子機器の表示装置として利用可能な時計表示を有する携帯電子機器を提供する。【解決手段】サブＣＰＵ用電源６０は、メインＣＰＵ用電源７０によるメインＣＰＵ７２への電力供給が停止状態である場合であっても、サブＣＰＵ６２に電力供給を継続して時計表示状態を保持する。【選択図】図７
2010277285.tif 000002
【特許請求の範囲】
【請求項１】
筐体と、
前記筐体内部に配設されるバッテリと、
機能ブロックの動作制御を行うメイン制御部と、
時計表示を制御するサブ制御部と、
前記バッテリの前記メイン制御部への電力供給を制御するメイン電源制御部と、
前記バッテリの前記サブ制御部への電力供給を制御するサブ電源制御部と、
を有し、
前記サブ電源制御部は、
前記メイン電源制御部によるメイン制御部への電力供給が停止状態である場合であっても、前記サブ制御部に電力供給を継続して時計表示状態を保持する
携帯電子機器。
【請求項２】
前記サブ制御部は、
電源キーの状態に応じて前記メイン電源制御部の前記メイン制御部への電力供給を制御する
請求項１に記載の携帯電子機器。
【請求項３】
前記サブ電源制御部の前記サブ制御部への電力供給、及び、前記メイン電源制御部の前記メイン制御部への電力供給が停止された状態であるサスペンドモード状態をも有する
請求項１又は２に記載の携帯電子機器。
【請求項４】
前記筐体は、メインディスプレイ及びサブディスプレイを有し、
前記メインディスプレイは前記メイン制御部によって制御されており、
前記サブディスプレイは前記サブ制御部によって制御されており、前記時計表示は前記サブディスプレイに表示される
請求項１〜３に記載の携帯電子機器。
【請求項５】
前記メイン制御部は第１インターフェース部を有し、
前記サブ制御部は第２インターフェース部を有し、
前記メイン制御部と前記サブ制御部は前記第１インターフェース部と前記第２インターフェース部とによって通信可能であり、
前記メイン電源制御部によって前記メイン制御部に電力供給がある場合には、前記第１インターフェース部と前記第２インターフェース部との通信を用いて、前記メイン制御部は前記サブディスプレイに情報を表示する
請求項４に記載の携帯電子機器。
【請求項６】
前記サブ電源制御部による電力供給は前記筐体に配設されているキー入力によって制御される
請求項１〜５いずれか１項に記載の携帯電子機器。
【請求項７】
前記筐体内部には、非接触式ＩＣカード用のアンテナ、当該非接触式ＩＣカード回路、及び、当該非接触式ＩＣカード用のメモリが配設されており、
前記非接触式ＩＣカード回路は、電源制御部を介さずに前記バッテリによって直接電力供給されている
請求項１〜６いずれか１項に記載の携帯電子機器。
【請求項８】
前記非接触式ＩＣカード用のメモリは、前記サブ制御部が使用するメモリと兼用である
請求項７に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
従来、携帯電子機器に時計機能を付与することが行われている。そして、このような機能を有する携帯電子機器を携帯するユーザの中には時計を持ち歩かず、当該携帯電子機器の時計機能によってのみ時刻を認識するユーザも多数存在する。
特許文献１においては、携帯電子機器の電源が切れている場合に時計機能を発揮させるために、携帯電子機器に単純にアナログ時計を設ける発明が記載されている。
【先行技術文献】
【特許文献】
【０００３】
【特許文献１】特開２００４―１９８１９８号公報
【発明の概要】
【発明が解決しようとする課題】
【０００４】
しかし、従来の携帯電子機器においてなされている時計表示は、消費電力を抑えるために時間及び分までの表示にとどめており、秒表示できないという問題点がある。
さらに、一定の場所においては携帯電子機器の電源を切る必要があるが、携帯電子機器の時計機能は携帯電子機器の電源を切ってしまうと時計表示がなされず、ユーザは時刻を認識することができなくなってしまうという問題点がある。
また、特許文献１に係る携帯電子機器では秒表示が可能であるし、携帯電子機器の電源が切れていてもユーザは時間を認識することができるが、単純に携帯電子機器に時計を付加しただけで相乗的な効果がない。
さらに、携帯電子機器に単純に時計を付加するので、その分だけコストアップになってしまう。
加えて、単純に時計を携帯電子機器に付加しただけでは、携帯電子機器の電源が入っている時であっても時刻の表示しか行うことができず、多機能化が求められ様々な表示を行いたいとのニーズがある携帯電子機器には不適当である。
また、時計の電源さえも切りたいという場合も想定されるが、単純に時計を携帯電子機器に付加しただけでは、時計の電源を切ることはできない。
【０００５】
本発明の目的は、携帯電子機器の電源が切れている場合であっても時計表示が可能であり、電源が入っている場合には携帯電子機器の表示装置として利用可能な時計表示を有する携帯電子機器を提供することである。
【課題を解決するための手段】
【０００６】
本発明の携帯電子機器は、筐体と、前記筐体内部に配設されるバッテリと、機能ブロックの動作制御を行うメイン制御部と、時計表示を制御するサブ制御部と、前記バッテリの前記メイン制御部への電力供給を制御するメイン電源制御部と、前記バッテリの前記サブ制御部への電力供給を制御するサブ電源制御部と、を有し、前記サブ電源制御部は、前記メイン電源制御部によるメイン制御部への電力供給が停止状態である場合であっても、前記サブ制御部に電力供給を継続して時計表示状態を保持する。
【０００７】
好適には、前記サブ制御部は、電源キーの状態に応じて前記メイン電源制御部の前記メイン制御部への電力供給を制御する。
【０００８】
好適には、前記サブ電源制御部の前記サブ制御部への電力供給、及び、前記メイン電源制御部の前記メイン制御部への電力供給が停止された状態であるサスペンドモード状態をも有する。
【０００９】
好適には、前記筐体は、メインディスプレイ及びサブディスプレイを有し、前記メインディスプレイは前記メイン制御部によって制御されており、前記サブディスプレイは前記サブ制御部によって制御されており、前記時計表示は前記サブディスプレイに表示される。
【００１０】
好適には、前記メイン制御部は第１インターフェース部を有し、前記サブ制御部は第２インターフェース部を有し、前記メイン制御部と前記サブ制御部は前記第１インターフェース部と前記第２インターフェース部とによって通信可能であり、前記メイン電源制御部によって前記メイン制御部に電力供給がある場合には、前記第１インターフェース部と前記第２インターフェース部との通信を用いて、前記メイン制御部は前記サブディスプレイに情報を表示する。
【００１１】
好適には、前記サブ電源制御部による電力供給は前記筐体に配設されているキー入力によって制御される。
【００１２】
好適には、前記筐体内部には、非接触式ＩＣカード用のアンテナ、当該非接触式ＩＣカード回路、及び、当該非接触式ＩＣカード用のメモリが配設されており、前記非接触式ＩＣカード回路は、電源制御部を介さずに前記バッテリによって直接電力供給されている。
【００１３】
好適には、前記非接触式ＩＣカード用のメモリは、前記サブ制御部が使用するメモリと兼用である。
【発明の効果】
【００１４】
本発明によると、携帯電子機器の電源が切れている場合であっても時計表示が可能であり、電源が入っている場合には携帯電子機器の表示装置として利用可能な時計表示を有する携帯電子機器を提供することができる。
【図面の簡単な説明】
【００１５】
【図１】本発明の実施形態に係る携帯電話機の外観を開状態で示す斜視図である。
【図２】図１の携帯電話機を反対側方向から見た外観の斜視図である。
【図３】携帯電話機１の取り得るモード状態の説明図である。
【図４】メインＣＰＵモードにおける処理を表すフローチャートである。
【図５】時計表示モードにおける処理を表すフローチャートである
【図６】サスペンドモードＭ０３における処理を表すフローチャートである。
【図７】本発明における携帯電話機１の信号処理系を示すブロック図である。
【図８】各モードにおける電源供給の状況の説明図である。
【発明を実施するための形態】
【００１６】
図１は、本発明の実施形態に係る携帯電話機１の外観を開状態で示す斜視図である。
【００１７】
携帯電話機１は、いわゆる折り畳み式の携帯電話機１として構成されており、開状態と閉状態との間で互いに回動可能にヒンジ部９によって連結された第１筐体２及び第２筐体３を有している。図１は、第１筐体２及び第２筐体３の開状態を示している。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１８】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１９】
なお、方向を示すときは、第１筐体リアケース５から第１筐体フロントケース４に向かう方向を表面方向（図１においては、紙面手前の方向）といい、第１筐体フロントケース４から第１筐体リアケース５に向かう方向を裏面方向（図１においては、紙面奥手の方向）という。
同様に第２筐体リアケース７から第２筐体フロントケース６に向かう方向を表面方向（図１においては、紙面手前の方向）といい、第２筐体フロントケース６から第２筐体リアケース７に向かう方向を裏面方向（図１においては、紙面奥手の方向）という。
【００２０】
また、第１筐体２においてヒンジ部９に向かう方向を連結部方向（図１の第１筐体２においては、紙面下の方向）といい、その逆を連結部反対方向（図１の第１筐体２においては、紙面上方向）という。
同様に、第２筐体３においても、ヒンジ部９に向かう方向を連結部方向（図１の第２筐体３においては、紙面上の方向）といい、その逆を連結部反対方向（図１の第２筐体３においては、紙面下の方向）という。
【００２１】
さらに、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２側に向かう方向を左側面方向（図１においては、紙面左の方向）という。
【００２２】
図１のように、第１筐体フロントケース４にはメインディスプレイ８が配置されている。
このメインディスプレイ８は、携帯電話機１の状態、ユーザの操作内容、発信先電話番号、電子メールの内容の表示、ゲーム画面等の様々な情報を表示するためのものである。
また、メインディスプレイ８はＬＣＤ（液晶ディスプレイ）、ＯＬＥＤ（Organic light-emitting diode：有機ＥＬ）等によって構成されている。
【００２３】
また、図１のように、第２筐体フロントケース６の表面方向及び右側面１１には、入力部１０が配置されている。この入力部１０をユーザが操作することによって、携帯電話機１に命令の入力、文字の入力等がなされる。
入力部１０は、サイドキー１６及び電源キー１７を含んでいる。
電源キー１７が押圧されることによって、携帯電話機１の電源の制御命令が入力される。
また、サイドキー１６が押圧されることによって、電源の制御命令、バックライト点灯等の各種の命令が入力される。
入力部１０を構成するサイドキー１６及び電源キー１７以外のキーは、図７において記載されるテンキー等８１として区別する。
なお、サイドキー１６の位置は第１筐体２及び第２筐体３の側面位置であればどのような位置であってもよいし、場合によっては、側面ではなく携帯電話機１の表面及び裏面であってもよい。
【００２４】
図２は、図１の携帯電話機１を反対側方向から見た外観の斜視図である。
【００２５】
図２のように、第２筐体リアケース７の裏面方向には、サブディスプレイ１３及びバッテリカバー１４が配置されている。
また、第２筐体リアケース７の内部には、非接触式ＩＣカード用アンテナ１５が配置されている。
もっとも、サブディスプレイ１３の位置は第１筐体リアケース５の側に配置されていてもよいし、それ以外の場所に配置されていてもよい。
このサブディスプレイ１３は、秒単位の時間、電話及び電子メールの着信有無等が表示される。
なお、サブディスプレイ１３はＬＣＤ（液晶ディスプレイ）、ＯＬＥＤ（Organic light-emitting diode：有機ＥＬ）等によって構成されている。
【００２６】
図２のように、第２筐体リアケース７の裏面方向の位置にはバッテリカバー１４が配置されている。そして、このバッテリカバー１４の内部には図示してないがバッテリ５０が配置されている。
【００２７】
図３は、携帯電話機１の取り得るモード状態を説明する説明図である。
【００２８】
メインＣＰＵモードＭ０１とは、携帯電話機１の機能をすべて使用可能な状態を表している。具体的には、通話、メール送受信、音楽再生、写真撮影、動画撮影、写真の再生、動画の再生、テレビジョン放送の受信、等である。
【００２９】
このメインＣＰＵモードＭ０１は、このようにさまざまな機能が使用可能であるが、消費電力が大きいことから電池容量の残量が少ない場合には、電池容量を節約するためにユーザが意図的に電源をＯＦＦの状態とすることがあり得る。
また、病院、コンサートホール、試験会場、公共交通機関の優先席、等においては、携帯電話機１の電源を切らなければならない場合がある。
しかし、時計を持たずに携帯電話機１の時計表示機能によって時間を認識するユーザもいるのであるから、このようなユーザにとって電源を切ってしまうことは不自由である。
そのような場合であってもユーザが時間を認識することができるように、時計表示モードＭ０２を設ける。
【００３０】
時計表示モードＭ０２とは、図７のところで詳説するメインＩＣ７１及びこれによって使用される各種の電子機器には電力を供給しないで、サブＩＣ６１等にのみ電力を供給するモードである。つまり、時計表示モードＭ０２とは言い換えると、サブＣＰＵモードともいうことができるモードである。
時計表示モードＭ０２では、時計表示（年、月、日、曜日、時、分、秒）がなされる。
なお、時計表示モードＭ０２において時計表示のみならずその他の表示をすることも可能である。例えば、高機能な腕時計に搭載されている各種の機能である。
【００３１】
時計表示モードＭ０２において携帯電話機１の内部で機能しているものは、通常の時計と同様であることから携帯電話機１は通常の時計と同程度しか電磁波の発信はない。
そして、通常の時計と同程度しか電磁波の発信はないため、病院内部、航空機内部、公共交通機関の優先席等において電源を切る必要はなくなる。
また、時計表示モードＭ０２においては電話の着信機能は使用できないため電話の着信があっては困る場合（コンサートホール、試験会場、会議場）においても、携帯電話機１の電源を切らなくてもよくなる。
そうすると、病院内部、航空機内部、公共交通機関の優先席、コンサートホール、試験会場、会議場等の通常の携帯電話機１であれば電源を切る必要がある場所・場面であってもユーザは時間の確認をすることが可能となる。
【００３２】
また、時計表示モードＭ０２では、駆動されているのはサブＩＣ６１等のみであり、メインＩＣ７１及びメインＩＣ７１が使用する電子部品には電力供給されないことから、電力の使用が、メインＣＰＵモードＭ０１よりも極めて低減される。
【００３３】
このように、時計表示モードＭ０２ではきわめて少ない電気使用量ではあるが、その使用もできない場合もあり得る。例えば、電池残量がきわめて少なくなってしまっているが、非接触式ＩＣカード機能の使用を後で行いたい場合である。
そのような場面に使用されるのがサスペンドモードＭ０３である。
サスペンドモードＭ０３は、時計機能を含めて携帯電話機１の基本的な機能を停止させている。
ところで、非接触式ＩＣカード機能が搭載されている携帯電話機１においては、非接触式ＩＣカードはＩＤとしてゲートなどの通過に用いられたり、現金の代わりに用いられたり、定期券の代わりに用いられたりする場面がある。
そうすると、このように用いられることのある非接触式ＩＣカード機能は、通話機能及び時計表示よりも重要であることになる。
そこで、サスペンドモードＭ０３においても、非接触式ＩＣカードは機能するようになっている。
【００３４】
最後に、バッテリ５０を携帯電話機１から物理的に取り外した場合、及び、バッテリ５０は携帯電話機１から物理的に取り外してはいないものの電池残量が全くない場合にバッテリなしＭ０４となる。
この場合には、携帯電話機１には全く電力がないため非接触式ＩＣカード機能をも果たすことができない。
【００３５】
各モードの切り替え方法について記載する。
メインＣＰＵモードＭ０１から時計表示モードＭ０２への移行は、電源キー１７の長押しによって行われる。同じく時計表示モードＭ０２からメインＣＰＵモードＭ０１への移行も電源キー１７の長押しによって行われる。
時計表示モードＭ０２からサスペンドモードＭ０３への移行は、サイドキー１６と電源キー１７を同時に長押しすることによって行われる。なお、サスペンドモードＭ０３から時計表示モードＭ０２への移行は行わない。
メインＣＰＵモードＭ０１からサスペンドモードＭ０３への移行は携帯電話機１のメニュー画面において電源ＯＦＦとのメニューを選択したときになされる。サスペンドモードＭ０３からメインＣＰＵモードＭ０１への移行は電源キー１７を長押しすることによって行われる。
サスペンドモードＭ０３からバッテリなしＭ０４への移行は、バッテリ５０を携帯電話機１から物理的に取り外した場合、及び、バッテリ５０の容量がゼロとなった場合になされる。バッテリなしＭ０４からサスペンドモードＭ０３への移行は、バッテリの装着及びバッテリの充電によってなされる。
【００３６】
図４は、メインＣＰＵモードＭ０１における処理を表すフローチャートである。
【００３７】
ステップＳＴ１１では、キー状態を取得する。
次に、ステップＳＴ１３において、電源キー１７の長押しであるか判断する。
そして、電源キー１７の長押しであると判断した場合には、時計表示モードＭ０２へ移行する。
電源キー長押しではない場合には、ステップＳＴ１５においてメニュー画面から電源ＯＦＦを意味するサスペンドモードＭ０３を選択したのか判断する。
そして、サスペンドモードＭ０３を選択したと判断した場合には、サスペンドモードＭ０３に移行する。
そうでない場合には、最初のキー状態を取得するステップＳＴ１１に再度戻る。
【００３８】
図５は、時計表示モードＭ０２における処理を表すフローチャートである。
【００３９】
ステップＳＴ２１では、キー状態を取得する。
ステップＳＴ２３では、ステップＳＴ２１で取得したキー状態が電源キー１７の長押しであるか判断している。
そして、ステップＳＴ２１で取得したキー状態が電源キー１７の長押しである場合にはメインＣＰＵモードＭ０１へ移行する。
ステップＳＴ２５では、ステップＳＴ２１で取得したキー状態が電源キー１７及びサイドキー１６の長押しであるかを判断する。
そして、キー状態が電源キー１７及びサイドキー１６の長押しである場合には、サスペンドモードＭ０３に移行する。
ステップＳＴ２７では、サイドキー１６のみの長押しである場合には、ステップＳＴ２９においてサブディスプレイ１３にバックライトを点灯させる。
そして、サイドキー１６のみの長押しではない場合には、最初のキー状態を取得するステップＳＴ２１に再度戻る。
【００４０】
図６は、サスペンドモードＭ０３における処理を表すフローチャートである。
【００４１】
ステップＳＴ３１では、キー状態を取得する。
ステップＳＴ３３では、ステップ２１で取得したキー状態が電源キー１７の長押しであるかを判断している。
そして、ステップ２１で取得したキー状態が電源キー１７の長押しである場合にはメインＣＰＵモードＭ０１へ移行する。
そして、電源キー１７の長押しではない場合には、最初のキー状態を取得するステップＳＴ３１に再度戻る。
【００４２】
図７は、本発明における携帯電話機１の信号処理系を示すブロック図である。
【００４３】
最初に、サスペンドモードＭ０３において稼動する電子部品について説明する。
サスペンドモードＭ０３においては、バッテリ５０、非接触式ＩＣカード回路５１、非接触式ＩＣカード用アンテナ１５、ＥＥＰＲＯＭ５４（Electrically Erasable Programmable ROM）、電源キー１７及びサイドキー１６が駆動可能である。
これらには、バッテリ５０から直接電力が供給されており、バッテリ５０が装着され電気容量が残っている限り駆動可能である。
この点は、サブＣＰＵ用電源６０及びメインＣＰＵ用電源７０を介して電力が供給されるその他の電子機器とは異なっている。
このように、非接触式ＩＣカード用の電子機器がバッテリ５０に電力がある限り駆動可能としているのは、前述したように、非接触式ＩＣカードによって行われることは重要性が高い場合であるからである。
【００４４】
非接触式ＩＣカード用アンテナ１５は外部からの電気信号を受信して、非接触式ＩＣカード回路５１に情報信号を伝達する。
そして、非接触式ＩＣカード回路５１は、各種の情報処理を行う。その際に、非接触式ＩＣカード回路５１はＥＥＰＲＯＭ５４内に収納されている非接触式ＩＣカード機能を使用してもよいか否かの情報、非接触式ＩＣカード用アンテナ１５の調整値等を参照する。
このように、非接触式ＩＣカード回路５１が使用する情報は、専用の電子部品ではなく、サブＩＣ６１内に既に内蔵されているＥＥＰＲＯＭ５４に記憶される。
このことによって、非接触式ＩＣカード用にＲＯＭ部品を設ける必要がなく、部品点数の増加を抑えることができる。そして、部品点数の削減によって、部品の分のコストの削減、部品を組み付けるための製造コストの削減が図られる。
【００４５】
なお、前述したが電源キー１７はサスペンドモードＭ０３からメインＣＰＵモードＭ０１に移行する際に検出されるキーである。
以下、具体的にサスペンドモードＭ０３からメインＣＰＵモードＭ０１への移行の処理について記載する。
電源キー１７が長押しされると、その情報がサブＣＰＵ用電源６０に伝達されサブＣＰＵ用電源６０によって、サブＩＣ６１及びサブディスプレイ１３に電力が供給される。
これによって、サブＩＣ６１内のサブインターフェース回路６７が稼働し、そして、サブインターフェース回路６７はメインＣＰＵ用電源７０に通電を開始する旨の信号を発信する。
これを受けて、メインＣＰＵ用電源７０はメインＩＣ７１、メインディスプレイ８、ＲＦ回路８０、ＤＲＡＭ７４及びメインフラッシュＲＯＭ７３に電源を供給する。
これによって、携帯電話機１はサスペンドモードＭ０３がメインＣＰＵモードＭ０１へ移行する。
【００４６】
次に、時計表示モードＭ０２において稼動する電子部品について説明する。
時計表示モードＭ０２においては、サブＣＰＵ用電源６０から電力が供給される電子部品が稼働する。
サブＣＰＵ用電源６０は、サブＩＣ６１とサブディスプレイ１３に電力を供給している。
サブＩＣ６１は、サブＣＰＵ６２、フラッシュＲＯＭ６３、ＳＲＡＭ６４、ＥＥＰＲＯＭ５４、ＲＴＣ（Real Time Clock）６６、発振回路６５及びサブインターフェース回路６７を有している。
なお、時計表示モードＭ０２では、サスペンドモードＭ０３で駆動している各種の電子部品は当然に電力が供給されて駆動している。
【００４７】
サブＣＰＵ６２は、サブＩＣ６１内の演算及び命令の処理を行う。
フラッシュＲＯＭ６３は、サブＣＰＵ６２が処理する実行用のプログラムを記憶している。
ＳＲＡＭ６４は、サブＣＰＵ６２が使用するメモリである。
なお、サブＣＰＵ６２が使用するメモリはＳＲＡＭ６４であるのに対してメインＣＰＵ７２が使用するメモリはＤＲＡＭ７４であるのは、ＳＲＡＭ６４の方がＤＲＡＭ７４よりも消費電力が少ないことから、できるだけ消費電力を少なくするためである。
ＥＥＰＲＯＭ５４には、前述のように非接触式ＩＣカード回路５１が用いる非接触式ＩＣカード機能を使用してもよいか否かの情報及び非接触式ＩＣカード用アンテナ１５の調整値に加えて、サブＣＰＵ６２が用いる各種の情報も記憶される。
ＲＴＣ６６は、時間情報を記憶している。
発振回路６５は、サブＩＣ６１が駆動するタイミングを調整している。そして、発振回路は、メインＣＰＵモードＭ０１においては、高周波数（例えば、数ＭＨｚ程度）で発振するが、時計表示モードＭ０２においては、はるかに低周波数（例えば、数Ｈｚ程度）で発振する。
そして周波数が低いということは消費電力が低いということであるから、低周波で発振している時計表示モードＭ０２においては、同じサブＩＣ６１が消費する電力だけ比べても、メインＣＰＵモードＭ０１よりも消費電力が低くなる。
【００４８】
サブインターフェース回路６７は、サブＩＣ６１が外部と情報をやり取りするための回路である。
電源キー１７及びサイドキー１６の入力情報が、サブインターフェース回路６７に入力される。
また、サブディスプレイ１３が表示する内容についての情報も、サブインターフェース回路６７を介してサブディスプレイ１３に伝達される。
さらに、サブインターフェース回路６７はメインＩＣ７１の第１メインインターフェース回路７７と接続しており、メインＩＣ７１とサブＩＣ６１との情報のやり取りを仲介する。
さらにまた、サブインターフェース回路６７はサブＣＰＵ用電源６０と接続されており、サブインターフェース回路６７はサブＣＰＵ用電源６０を制御する。
具体的には、サブインターフェース回路６７からの指令信号によってサブＣＰＵ用電源は、サブＩＣ６１及びサブディスプレイ１３への電力供給をＯＦＦする。
加えて、サブインターフェース回路６７はメインＣＰＵ用電源７０と接続されており、サブインターフェース回路６７はメインＣＰＵ用電源７０を制御する。
具体的には、メインＣＰＵ用電源７０によるメインＩＣ７１、メインフラッシュＲＯＭ７３、ＤＲＡＭ７４、ＲＦ回路８０及びメインディスプレイ８への電源供給をＯＮまたはＯＦＦすることができる。
【００４９】
時計表示モードＭ０２からメインＣＰＵモードＭ０１への移行について説明する。
時計表示モードＭ０２において、電源キー１７が長押しされるとサブインターフェース回路６７は、メインＣＰＵ用電源７０にメインＩＣ７１、メインフラッシュＲＯＭ７３、ＤＲＡＭ７４、ＲＦ回路８０及びメインディスプレイ８への電力供給をＯＮする旨の信号を発信する。
これによって、メインＣＰＵ用電源７０にメインＩＣ７１、メインフラッシュＲＯＭ７３、ＤＲＡＭ７４、ＲＦ回路８０及びメインディスプレイ８が稼働する。
そうすると、携帯電話機１は時計表示モードＭ０２からメインＣＰＵモードＭ０１への移行がなされる。
【００５０】
メインＣＰＵモードＭ０１から時計表示モードＭ０２への移行について説明する。
メインＣＰＵモードＭ０１において、電源キー１７が長押しされるとサブインターフェース回路６７は、メインＣＰＵ用電源７０にメインＩＣ７１、メインフラッシュＲＯＭ７３、ＤＲＡＭ７４、ＲＦ回路８０及びメインディスプレイ８への電力供給をＯＦＦする旨の信号を発信する。
これによって、メインＣＰＵ用電源７０にメインＩＣ７１、メインフラッシュＲＯＭ７３、ＤＲＡＭ７４、ＲＦ回路８０及びメインディスプレイ８が稼働できなくなる。
そうすると、携帯電話機１はメインＣＰＵモードＭ０１から時計表示モードＭ０２への移行がなされる。
【００５１】
時計表示モードＭ０２からサスペンドモードＭ０３への移行について説明する。
時計表示モードＭ０２において、電源キー１７及びサイドキー１６が長押しされるとサブインターフェース回路６７は、サブＣＰＵ用電源６０にサブＩＣ６１及びサブディスプレイ１３への電力供給をＯＦＦする旨の信号を発信する。
これによって、サブＣＰＵ用電源６０にサブＩＣ６１及びサブディスプレイ１３が稼働できなくなる。
そうすると、携帯電話機１は時計表示モードＭ０２からサスペンドモードＭ０３への移行がなされる。
【００５２】
サブディスプレイ１３は、サブＩＣ６１によって命令された内容を表示する機能を有する。
【００５３】
時計表示モードＭ０２における具体的処理について説明する。
サブＣＰＵ６２はＲＴＣ６６を参照して、現在時刻情報を取得する。そして、サブＣＰＵ６２はその内容を、サブインターフェース回路６７を介して、サブディスプレイ１３に出力する。
【００５４】
また、サブＣＰＵ６２は、電源キー１７及びサイドキー１６の入力情報に応じてメインＣＰＵ用電源７０をＯＮ又はＯＦＦして、メインＣＰＵモードＭ０１、時計表示モードＭ０２及びサスペンドモードＭ０３間の切り替えを行っている。
【００５５】
最後に、メインＣＰＵモードＭ０１において稼動する電子部品について説明する。
メインＣＰＵモードＭ０１においては、メインＣＰＵ用電源７０から電力が供給される電子部品が稼働する。
メインＣＰＵ用電源７０は、メインＩＣ７１、メインフラッシュＲＯＭ７３、ＤＲＡＭ７４、ＲＦ回路８０及びメインディスプレイ８に電力を供給している。
メインＩＣ７１は、メインＣＰＵ７２、第１メインインターフェース回路７７、第２メインインターフェース回路７６及びＢＢ回路７９（base band）を有している。
なお、メインＣＰＵモードＭ０１では、サスペンドモードＭ０３及び時計表示モードＭ０２で駆動している各種の電子部品は当然に稼働している。
もっとも、サブＩＣ６１の駆動周波数はメインＣＰＵモードＭ０１の方が時計表示モードＭ０２よりもはるかに高くなっている。なぜなら、メインＣＰＵモードＭ０１では、サブディスプレイ１３に表示される内容は時計表示のみならず、動画の再生や、写真撮影時の撮影画像等を表示しなくてはならないからである。
【００５６】
メインＣＰＵ７２は、メインＩＣ７１内の演算及び命令の処理を行う。
第２メインインターフェース回路７６は、メインＣＰＵ７２が使用するデータを保存するメインフラッシュＲＯＭ７３及びＤＲＡＭ７４との情報通信を行う。
第１メインインターフェース回路７７は、サブＩＣ６１のサブインターフェース回路６７と情報通信を行う。
具体的には、サブディスプレイ１３に表示する内容の命令信号を発信する。これを受けたサブＩＣ６１のサブＣＰＵ６２は必要な処理を行い、処理によって生成された命令信号がサブインターフェース回路６７を介してサブディスプレイ１３に送信される。
これを受けた、サブディスプレイ１３は、この命令信号に基づいてディスプレイ表示を行う。
また、第１メインインターフェース回路７７は、メインディスプレイ８及びテンキー等８１との情報のやり取りを行う。
【００５７】
メインＣＰＵモードＭ０１では、第１メインインターフェース回路７７を介してからサブインターフェース回路６７に着信表示情報等が伝達され、これをサブＣＰＵ６２が処理して、サブディスプレイ１３に表示される。
これによって、サブディスプレイ１３にメインＣＰＵ７２が有する着信表示等の各種の情報表示が可能となっている。
【００５８】
メインフラッシュＲＯＭ７３には、メインＣＰＵ７２が使用するプログラム等が保存される。また、ＤＲＡＭ７４はメインＣＰＵ７２が一時的に使用するデータ等が記憶される。
【００５９】
メインＣＰＵモードＭ０１からサスペンドモードＭ０３への移行について説明する。
メインＣＰＵモードＭ０１において、メインディスプレイ８等に表示されるメニューから電源ＯＦＦを選択すると、メインＣＰＵモードＭ０１からサスペンドモードＭ０３への移行がなされる。
具体的には、テンキー等８１から電源ＯＦＦ入力がなされると、第１メインインターフェース回路７７は、サブインターフェース回路６７に電源ＯＦＦ命令があったことを伝達する。
これを受けたサブインターフェース回路６７は、メインＣＰＵ用電源７０及びサブＣＰＵ用電源６０に電源ＯＦＦ命令を伝達する。
これによって、メインＣＰＵ用電源７０及びサブＣＰＵ用電源６０による電力供給がなくなり、メインＩＣ７１及びサブＩＣ６１が稼働できなくなる。
そうすると、携帯電話機１はメインＣＰＵモードＭ０１からサスペンドモードＭ０３への移行がなされる。
【００６０】
このように構成することによって、時計表示モードＭ０２において携帯電話機１は通常のデジタルの時計のように、年、月、日、曜日、時、分及び秒の表示が可能となる。
さらに、非接触式ＩＣカードのメモリを専用に設ける必要がなくなり、単純に時計を付加した場合に比べてコストダウンになる。
また、消費電力がきわめて少ない時計表示モードＭ０２を設けたことによって、ユーザは携帯電話の電源を切りつつ、時間を知ることができる。
加えて、時計表示さえも必要ない場合にはさらに消費電力の少ないサスペンドモードＭ０３を設けたことによって、バッテリ５０に蓄電されている電力の消費を低減することができる。
また、非接触式ＩＣカードの機能はサスペンドモードＭ０３であっても使用可能とすることから、個人ＩＤ機能、キャッシュカード機能等の重要な機能への電力供給はバッテリ５０の電気容量がゼロとなるまで可能とすることができる。
【００６１】
図８は、各モードにおける電源供給の状況を説明する説明図である。
【００６２】
図８のように、メインＣＰＵモードＭ０１（Ｄ）においては、サブＣＰＵ６２のクロック、メインＣＰＵ７２のクロック、サブＣＰＵ用電源６０及びメインＣＰＵ用電源７０がＯＮになっている。
また、時計表示モードＭ０２（Ｃ）においては、サブＣＰＵ６２のクロック及びサブＣＰＵ用電源６０がＯＮになっており、メインＣＰＵ７２のクロック及びメインＣＰＵ用電源７０がＯＦＦになっている。
【００６３】
図７に示されているように、サスペンドモードＭ０３には２つのモード状態がある。
一つは、図７においてＢで示されるモードである。
このＢモードにおいては、サブＣＰＵ用電源６０がＯＮになっており、サブＣＰＵ６２のクロック、メインＣＰＵ７２のクロック及びメインＣＰＵ用電源７０がＯＦＦになっている。
もう一つは、図７においてＡで示されるモードである。
このＡモードにおいては、サブＣＰＵ６２のクロック、メインＣＰＵ７２のクロック、サブＣＰＵ用電源６０及びメインＣＰＵ用電源７０がＯＦＦになっている。
この状態においても、ＲＴＣ６６にはバッテリ５０から電力が供給されており、ＲＴＣ６６は正確な時間を保持し続けることができる。
【００６４】
以上の実施形態によれば、本発明における携帯電話機１は第２筐体３と、第２筐体３内部に配設されるバッテリ５０と、機能ブロックの動作制御を行うメインＣＰＵ７２と、時計表示を制御するサブＣＰＵ６２と、を有している。
そして、バッテリ５０のメインＣＰＵ７２への電力供給を制御するメインＣＰＵ用電源７０と、バッテリ５０のサブＣＰＵ６２への電力供給を制御するサブＣＰＵ用電源６０と、を有している。
また、サブＣＰＵ用電源６０は、メインＣＰＵ用電源７０によるメインＣＰＵ７２への電力供給が停止状態である場合であっても、サブＣＰＵ６２に電力供給を継続して時計表示状態を保持する。
このような構成によって、携帯電話機１の通話機能等の機能を電源ＯＦＦすることによって切らなければならない場合であっても、時計表示が可能となる。
そして、これによって、消費電力を大幅に削減することができる。
【００６５】
サブＣＰＵ６２は、電源キー１７の状態に応じてメインＣＰＵ用電源７０のメインＣＰＵ７２への電力供給を制御する。
このような構成によって、サブＣＰＵ６２によって時計表示を行いつつ、メインＣＰＵ７０への電力供給を停止することができる。
そして、これによって、消費電力を大幅に削減することができる。
【００６６】
サブＣＰＵ用電源６０のサブＣＰＵ６２への電力供給、及び、メインＣＰＵ用電源７０のメインＣＰＵ７２への電力供給が停止された状態であるサスペンドモード状態Ｍ０３をも有する。
これによって、時計表示モードＭ０２よりもさらに電力消費の少ないモードをとることが可能となる。
【００６７】
第２筐体３は、メインディスプレイ８及びサブディスプレイ１３を有し、メインディスプレイ８はメインＣＰＵ７２によって制御されている。
そして、サブディスプレイ１３はサブＣＰＵ６２によって制御されており、時計表示は前記サブディスプレイ１３に表示される。
このような構成によって、携帯電話機１の通話機能等の機能を切らなければならない場合であってもサブディスプレイ１３によって時間の確認をユーザはすることができる。
【００６８】
少なくともメインＣＰＵ７２へ電力供給するメインＣＰＵ用電源７０を有し、サブＣＰＵ６２はメインＣＰＵ用電源７０を制御している。
このような構成によって、メインＣＰＵ７２が駆動されていない場合であってもサブＣＰＵは稼働可能となる。また、メインＣＰＵ７２の駆動のＯＮ及びＯＦＦをサブＣＰＵが制御することが可能となる。
【００６９】
少なくともサブＣＰＵ６２へ電力供給するサブＣＰＵ用電源６０を有し、サブＣＰＵ用電源６０による電力供給は第２筐体３に配設されている電源キー１７入力によって制御される。
このような構成によって、サブＣＰＵ６２への電力供給さえも止めることが可能となる。
【００７０】
メインＣＰＵ７２は第１メインインターフェース回路７７を有し、サブＣＰＵ６２はサブインターフェース回路６７を有している。
また、メインＣＰＵ７２とサブＣＰＵ６２は第１メインインターフェース回路７７とサブインターフェース回路とによって通信可能である。
メインＣＰＵ用電源７０によってメインＣＰＵ７２に電力供給がある場合には、第１メインインターフェース回路７７部とサブインターフェース回路６７との通信を用いて、メインＣＰＵ７２はサブディスプレイ１３に情報を表示する。
このような構成によって、メインＣＰＵ７２とサブＣＰＵ６２との２つのＣＰＵが、独立にメインディスプレイ８とサブディスプレイ１３とを制御していても、サブディスプレイ１３にメインＣＰＵ７２が有する情報を表示することができる。
【００７１】
第２筐体３内部には、非接触式ＩＣカード用アンテナ１５、当該非接触式ＩＣカード回路５１、及び、当該非接触式ＩＣカード用のＥＥＰＲＯＭ５４が配設されている。
そして、非接触式ＩＣカード回路５１は、電源を介さずに前記バッテリ５０によって直接電力供給されている。
このような構成によって、携帯電話機１の電源を切っている場合であっても非接触式ＩＣカードの使用が可能となる。
また、携帯電話機１のバッテリ５０が蓄えている電力が残りわずかであっても、個人ＩＤや支払などの重要性のある非接触式ＩＣカードは使用可能とすることができる。
【００７２】
非接触式ＩＣカード用のＥＥＰＲＯＭ５４は、サブＣＰＵ６２が使用するＥＥＰＲＯＭ５４と兼用である。
このような構成によって、時計を独立に設けた場合よりも部品点数を削減することができ、削減した部品の分だけ製造コストが低減される。
【００７３】
なお、以上の実施形態において、第１筐体２及び第２筐体３は本発明の筐体の一例である。つまり、筐体とは、携帯電子機器を収容する容器に該当するものであればどのようなものであってもよい。
さらに、容器の一部、例えば、第１筐体フロントケース４、第１筐体リアケース５、第２筐体フロントケース６及び第２筐体リアケース７であっても筐体に該当する。
【００７４】
ＥＥＰＲＯＭ５４は本発明におけるメモリの一例であり、電源キー１７及びサイドキー１６は本発明に置けるキーの一例である。
サブＣＰＵ用電源６０は本発明におけるサブ電源制御部の一例であり、メインＣＰＵ用電源７０は本発明におけるメイン電源制御部の一例である。
また、サブＣＰＵ６２は本発明におけるサブ制御部の一例であり、メインＣＰＵ７２は本発明におけるメイン制御部の一例である。
さらに、サブインターフェース回路６７は本発明における第２インターフェース部の一例であり、第１メインインターフェース回路７７は本発明における第１インターフェース部の一例である。
【００７５】
本発明は、以上の実施形態に限定されず、種々の態様で実施されてよい。
【００７６】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００７７】
１…携帯電話機、２…第１筐体、３…第２筐体、４…第１筐体フロントケース、５…第１筐体リアケース、６…第２筐体フロントケース、７…第２筐体リアケース、８…メインディスプレイ、９…ヒンジ部、１０…入力部、１１…右側面、１２…左側面、１３…サブディスプレイ、１４…バッテリカバー、１５…非接触式ＩＣカード用アンテナ、１６…サイドキー、１７…電源キー、
５０…バッテリ、５１…非接触式ＩＣカード回路、５４…ＥＥＰＲＯＭ、５５…電源スイッチ
６０…サブＣＰＵ用電源（サブ電源制御部）、６１…サブＩＣ、６２…サブＣＰＵ（サブ制御部）、６３…フラッシュＲＯＭ、６４…ＳＲＡＭ、６５…発振回路、６６…ＲＴＣ、６７…サブインターフェース回路（第２インターフェース部）、
７０…メインＣＰＵ用電源（メイン電源制御部）、７１…メインＩＣ、７２…メインＣＰＵ（メイン制御部）、７３…メインフラッシュＲＯＭ、７４…ＤＲＡＭ、７６…第２メインインターフェース回路、７７…第１メインインターフェース回路（第１インターフェース部）、７９…ベースバンド回路、８０…ＲＦ回路、８１…テンキー
ＭＯ１…メインＣＰＵモード、Ｍ０２…時計表示モード、Ｍ０３…サスペンドモード、Ｍ０４…バッテリなし
【図１】
2010277285.tif 000003
【図２】
2010277285.tif 000004
【図３】
2010277285.tif 000005
【図４】
2010277285.tif 000006
【図５】
2010277285.tif 000007
【図６】
2010277285.tif 000008
【図７】
2010277285.tif 000009
【図８】
2010277285.tif 000010